(57)【要約】【課題】塗装すべき物品にエア抜き用の貫通孔を設けなくとも、エア溜まりによる電着不良を生ずることのない電着塗装及び電気鍍金用物品保持具を提供する。【解決手段】保持部１２に保持されたプーリ１が電着液２ｂ内に搬入されると、浮力により上昇するフロート１４に連動して保持部１２が傾動し、プーリ１の上下方向の向きが変わるようにしたので、プーリ１の内周面と段差１ａとの間に溜まっていた空気を保持部１２の傾動によってプーリ１から排出することができ、エア溜まりによる電着不良を確実に防止することができる。【選択図】図６
2005336561.tif 000002
【特許請求の範囲】
【請求項１】
搬送装置に吊下される保持具本体と、任意の物品を保持する少なくとも一つの保持部とを備え、電着塗装または電気鍍金を施すべき物品を保持部によって保持し、搬送装置によって搬送されながら保持部の物品を電着塗装または電気鍍金用の液槽内に搬入する電着塗装及び電気鍍金用物品保持具において、
前記保持部に保持された物品が液槽内に搬入されると、物品の上下方向の向きが変わるように保持部を所定方向に傾動させる傾動手段を備えた
ことを特徴とする電着塗装及び電気鍍金用物品保持具。
【請求項２】
前記傾動手段を、前記保持部が設けられた傾動部材と、保持具本体が液槽内に搬入されると浮力により上昇するフロートと、フロートの上昇に連動して傾動部材を傾動させる連動部材とから構成した
ことを特徴とする請求項１記載の電着塗装及び電気鍍金用物品保持具。
【請求項３】
前記フロートを上面が水平方向に対して傾斜をなすように形成した
ことを特徴とする請求項２記載の電着塗装及び電気鍍金用物品保持具。
【請求項４】
前記傾動手段を、前記保持部が設けられた傾動部材と、保持具本体が液槽内に下降しながら搬入されると液槽の上方所定位置に設けられた案内部材に当接して下方への移動を規制される当接部材と、下方への移動を規制された当接部材に連動して傾動部材を傾動させる連動部材とから構成した
ことを特徴とする請求項１記載の電着塗装及び電気鍍金用物品保持具。
【請求項５】
前記傾動手段を、前記保持部が設けられた傾動部材と、保持具本体が液槽内に搬入されると液槽の上方所定位置に設けられた案内部材に当接して所定方向に回動する回動部材と、案内部材との当接により回動した回動部材に連動して傾動部材を傾動させる連動部材とから構成した
ことを特徴とする請求項１記載の電着塗装及び電気鍍金用物品保持具。
【請求項６】
前記連動部材をワイヤによって形成した
ことを特徴とする請求項２、３、４または５記載の電着塗装及び電気鍍金用物品保持具。
【請求項７】
前記連動部材をリンクによって形成した
ことを特徴とする請求項２、３、４または５記載の電着塗装及び電気鍍金用物品保持具。
【請求項８】
前記保持具本体の上部に保持部に保持された物品の上方を覆う天板を設けた
ことを特徴とする請求項１、２、３、４、５、６または７記載の電着塗装及び電気鍍金用物品保持具。
【請求項９】
前記保持部を物品を保持状態でロック可能に構成した
ことを特徴とする請求項１、２、３、４、５、６、７または８記載の電着塗装及び電気鍍金用物品保持具。
【請求項１０】
前記保持部を互いに開放方向または閉鎖方向に動作することにより物品に係止する一対の係止部材によって形成した
ことを特徴とする請求項９記載の電着塗装及び電気鍍金用物品保持具。
【発明の詳細な説明】
【技術分野】
【０００１】
本発明は、例えば圧縮機用プーリ等、任意の物品に電着塗装または電気鍍金を施す塗装装置に用いられる電着塗装及び電気鍍金用物品保持具に関するものである。
【背景技術】
【０００２】
一般に、カチオン電着塗装等に用いられる電着塗装装置としては、塗装すべき物品を所定の保持具によって保持する搬送装置と、搬送装置の搬送経路に設けられた電着液槽とを備え、保持具で保持した物品を搬送装置によって搬送しながら電着液内に浸漬するとともに、物品に直流電流を通電することにより、電着液内の物品に電着塗装を施すようにしたものが知られている（例えば、特許文献１参照。）。
【０００３】
また、前記電着塗装装置に用いられる物品保持具としては、搬送装置に吊下される保持具本体と、保持具本体に設けられた保持部とを備え、電着塗装を施すべき物品を保持部によって保持するとともに、搬送装置によって搬送されながら物品と共に電着液内に搬入されるようにしたものが知られている（例えば、特許文献２参照。）。
【０００４】
ところで、車両用空気調和装置の圧縮機等に用いられるプーリには、耐食性を高めるための表面処理が電着塗装によって施されるが、プーリは円筒状の部材の内周面に径方向の凹凸部を有するため、電着液内で一定の角度で保持した状態では凹凸部によるエア溜まりが生じ、エア溜まりの部分に電着液が付着せずに塗装不良を生ずるという問題がある。
【０００５】
そこで、プーリのエア溜まりを生ずる部分にエア抜き用の貫通孔を設けることにより、プーリが電着液内で一定の角度で保持されていても、貫通孔から空気を排出してエア溜まりを解消するようにしたものが知られている（例えば、特許文献３参照。）。
【特許文献１】特開２００２−１９４５９３号公報
【特許文献２】特開平６−１７２９２号公報
【特許文献３】特開平１１−２３６９５９号公報
【発明の開示】
【発明が解決しようとする課題】
【０００６】
しかしながら、プーリにエア抜き用の貫通孔を設けるようにしたものでは、電着塗装のエア抜き以外に必要のない貫通孔を別途加工しなければならず、工数が増加して製造コストが高くつくという問題点があった。
【０００７】
本発明は前記問題点に鑑みてなされたものであり、その目的とするところは、電着塗装及び電気鍍金すべき物品にエア抜き用の貫通孔を設けなくとも、エア溜まりによる電着不良または鍍金不良を生ずることのない電着塗装及び電気鍍金用物品保持具を提供することにある。
【課題を解決するための手段】
【０００８】
本発明は前記目的を達成するために、搬送装置に吊下される保持具本体と、任意の物品を保持する少なくとも一つの保持部とを備え、電着塗装または電気鍍金を施すべき物品を保持部によって保持し、搬送装置によって搬送されながら保持部の物品を電着塗装または電気鍍金用の液槽内に搬入する電着塗装及び電気鍍金用物品保持具において、前記保持部に保持された物品が液槽内に搬入されると、物品の上下方向の向きが変わるように保持部を所定方向に傾動させる傾動手段を備えている。
【０００９】
これにより、保持部に保持された物品が液槽内に搬入されると、保持部が傾動して物品の上下方向の向きが変わることから、物品の下側に溜まっていた空気が保持部の傾動によって物品から排出され、エア溜まりによる電着不良または鍍金不良が防止される。
【発明の効果】
【００１０】
本発明の電着塗装及び電気鍍金用物品保持具によれば、塗装すべき物品にエア抜き用の貫通孔を設けなくとも、エア溜まりによる電着不良または鍍金不良を生ずることがないので、貫通孔を設ける必要がない分だけ物品の製造工程における工数を少なくすることができ、物品の製造コストを低減することができる。
【発明を実施するための最良の形態】
【００１１】
図１乃至図７は本発明の第１の実施形態を示すもので、図１は電着塗装用物品保持具の正面図、図２はその側面図、図３はプーリの平面図、図４は電着塗装装置の概略側面図、図５は電着液内に浸漬された電着塗装用物品保持具の要部側面図、図６は保持部が傾動した状態を示す側面図、図７はその要部側面図である。
【００１２】
同図に示す電着塗装用物品保持具１０は、例えばカチオン電着塗装を施すべき物品としてのプーリ１を保持し、塗装装置２に用いられるものである。
【００１３】
プーリ１は、車両用空気調和装置の圧縮機等に用いられるもので、その表面には耐食性を高めるための電着塗装が施される。即ち、プーリ１は円筒状に形成され、その軸方向一端側の内周面と他端側の内周面との間には段差１ａが設けられている。この段差１ａの軸方向一端面には軸方向に貫通する孔１ｂが設けられ、孔１ｂはプーリ１の周方向に延びるように互いに周方向に間隔をおいて複数箇所に設けられている。尚、このようなプーリ１の形状は、プーリ１の機能上の形状であり、本実施形態の電着塗装用に形成されているものではない。
【００１４】
塗装装置２は、プーリ１を保持した物品保持具を搬送する搬送装置としてのコンベヤ２ａと、電着液２ｂを貯溜した液槽２ｃとを備え、コンベヤ２ａは塗装工場等の所定経路を周回するようになっている。液槽２ｃはコンベヤ２ａの一部の経路に対応するように設けられ、コンベヤ２ａによって搬送される物品保持具１０が液槽２ｃ内に搬入されるようになっている。
【００１５】
本実施形態の電着塗装用物品保持具１０は、コンベヤ２ａに吊下される保持具本体１１と、電着塗装を施すべきプーリ１を保持する複数の保持部１２と、各保持部１２が設けられた傾動部材１３と、傾動部材１３を傾動させるフロート１４と、フロート１４と傾動部材１３とを連動させる連動部材としての連動ワイヤ１５とから構成されている。
【００１６】
保持具本体１１は縦長の四角形状の枠状部材からなり、その上端には棒状の吊下部材１１ａの下端が連結されている。吊下部材１１ａの上端にはフック１１ｂが設けられ、フック１１ｂはコンベヤ２ａに掛止されるようになっている。保持具本体１１の上部には各保持部１２に保持されたプーリ１を覆う天板１１ｃが設けられ、天板１１ｃは上面が水平方向に対して若干傾斜をなすように吊下部材１１ａに取付けられている。また、保持具本体１１には幅方向に延びる複数の横部材１１ｄが上下方向に間隔をおいて設けられ、各横部材１１ｄには後述する保持部１２とは別の他の保持部１１ｅが設けられている。即ち、これらの保持部１１ｅは斜め上方に向かって延びる楔状の部材を横部材１１ｄに溶接等によって固着してなり、図示しない他の物品を上下方向所定の向きで保持するようになっている。
【００１７】
各保持部１２は保持具本体１１の下部に配置され、互いに幅方向に間隔をおいて上下二列に設けられている。保持部１２は斜め上方に向かって延びる楔状の部材からなり、例えば断面略三角形状をなすように形成されている。
【００１８】
傾動部材１３は四角形状の枠状部材からなり、その幅方向両側面をそれぞれ支軸１３ａを介して保持具本体１１の下部に前後方向に回動自在に取付けられている。この場合、傾動部材１３の上部及び下部には保持部１２がそれぞれ計３つずつ互いに幅方向に間隔をおいて配置され、各保持部１２は溶接等によって傾動部材１３に固着されている。また、傾動部材１３の幅方向一端には前方に向かって延びるアーム部１３ｂが設けられている。更に、傾動部材１３は通電用の電線１３ｃを介して保持具本体１１に連結されており、電線１３ｃによって各保持部１２がコンベヤ２ａ側と通電するようになっている。
【００１９】
フロート１４は一端を閉塞した円筒状の部材からなり、その一端を上方に向けた状態で保持具本体１１の背面側に配置されている。フロート１４の下方には上下方向に延びる第１及び第２のガイドシャフト１４ａ，１４ｂが設けられ、各ガイドシャフト１４ａ，１４ｂは取付部材１４ｃを介してフロート１４に連結されている。この場合、各ガイドシャフト１４ａ，１４ｂは互いに平行に延びるように前後方向に配置され、第１のガイドシャフト１４ａは第２のガイドシャフト１４ｂよりも長く形成されている。保持具本体１１の背面側にはフロート１４を上下方向に移動自在に支持する一対の支持板１４ｄが互いに上下方向に間隔をおいて設けられ、上方の支持板１４ｄには第１及び第２のガイドシャフト１４ａ，１４ｂが上下方向に移動自在に挿入され、下方の支持板１４ｄには第１のガイドシャフト１４ａのみが上下方向に移動自在に挿入されている。また、フロート１４は上面が水平方向に対して若干傾斜をなすように取付部材１４ｃに斜めに取付けられている。
【００２０】
連動ワイヤ１５は、一端を傾動部材１３のアーム部１３ｂの先端に連結されるとともに、その他端をフロート１４の下端に連結され、フロート１４が上昇すると、アーム部１３ｂを上方に回動させるようになっている。
【００２１】
以上のように構成された物品保持具１０は、保持具本体１１のフック１１ｂを介してコンベヤ２ａに互いに間隔をおいて複数取付けられ、コンベヤ２ａによって液槽２ｃ内に順次搬入されるようになっている。その際、物品保持具１０が液槽２ｃ内に搬入されると、物品保持具１０に保持されたプーリ１が電着液２ｂに浸漬され、プーリ１に直流電流を通電することにより、プーリ１に電着塗装が施されるようになっている。
【００２２】
物品保持具１０には、プーリ１の孔１ｂに保持部１２を挿入することにより、図２に示すようにプーリ１が軸方向一端側を斜め上方に向けた状態で保持される。即ち、プーリ１を保持した物品保持具１０が液槽２ｃ内に搬入され、図５に示すようにプーリ１が電着液２ｂに浸漬されると、プーリ１の軸方向他端側は斜め下方に向けられているため、プーリ１の内周面と段差１ａとの間の最上部にエア溜まりＡが生ずる。その際、物品保持具１０が電着液２ｂ内を下降するにしたがってフロート１４が電着液２ｂ内に搬入されると、フロート１４が浮力によって上昇し、図６に示すようにフロート１４の上昇によって傾動部材１３のアーム部１３ｂが連動ワイヤ１５に引かれて上方に回動する。これにより、図７に示すように傾動部材１３が図中時計回りに傾動してプーリ１の上下方向の向きが変わり、プーリ１の内周面と段差１ａとの間に溜まっていた空気Ａが図中一点鎖線矢印で示すようにプーリ１内から排出され、プーリ１内のエア溜まりが解消される。
【００２３】
このように、本実施形態の物品保持具１０によれば、保持部１２に保持されたプーリ１が電着液２ｂ内に搬入されると、プーリ１の上下方向の向きが変わるように保持部１２を傾動させるようにしたので、プーリ１の内周面と段差１ａとの間に溜まっていた空気Ａを保持部１２の傾動によってプーリ１から排出することができ、エア溜まりによる電着不良を確実に防止することができる。従って、従来のようにプーリ１にエア抜き用の貫通孔を別途設ける必要がなく、その分だけプーリ１の製造工程における工数を少なくすることができる。
【００２４】
また、保持部１２が設けられた傾動部材１３を浮力により上昇するフロート１４によって傾動させるようにしたので、保持具本体１１を電着液２ｂ内に搬入するだけで自動的に傾動部材１３を傾動させることができ、傾動部材１３を傾動させるための装置を外部に設ける必要がないという利点がある。
【００２５】
この場合、フロート１４を上面が水平方向に対して傾斜をなすように形成したので、電着液２ｂがフロート１４の上面に溜まることがなく、液槽２ｃから電着液２ｂが無用に排出されることがないという利点がある。尚、本実施形態では、フロート１４を取付部材１４ｃに斜めに取付けることにより、フロート１４の上面が水平方向に対して傾斜をなすようにしたものを示したが、例えば垂直に取付けたフロートの上面のみを斜めに形成したり、或いはフロートの上面を上方に凸状をなす球面状に形成するようにしてもよい。
【００２６】
また、フロート１４と傾動部材１３とを連動ワイヤ１５を介して連結するようにしたので、フロート１４と傾動部材１３とを簡単な構造によって確実に連動させることができ、実用化に際して極めて有利である。
【００２７】
更に、保持具本体１１の上部に保持部１２に保持されたプーリ１の上方を覆う天板１１ｃを設けたので、液槽２ｃから搬出された後に上方から異物が落下した場合でも、天板１１ｃによってプーリ１の落下物との接触を阻止することができ、乾燥前のプーリ１を落下物から確実に保護することができる。
【００２８】
尚、前記実施形態では、圧縮機の動力伝達装置に用いられるプーリ１に電着塗装を施すようにしたものを示したが、本発明は他の物品に電着塗装を施す場合にも用いることができる。
【００２９】
また、前記実施形態では、電着塗装用の物品保持具を示したが、本発明の物品保持具は、いわゆる電気メッキ等の電気鍍金にも用いることができる。
【００３０】
図８乃至図１２は本発明の第２の実施形態を示すもので、図８は電着塗装用物品保持具の側面図、図９は保持部のロック解除動作を示す要部側面図、図１０は保持部のロック動作を示す要部側面図、図１１は電着液内に浸漬された電着塗装用物品保持具の要部側面図、図１２は保持部が傾動した状態を示す要部側面図である。尚、前記実施形態と同等の構成部分には同一の符号を付して示す。
【００３１】
即ち、本実施形態の物品保持具１０は、プーリ１をロック可能に保持する保持部１６と、フロート１４と傾動部材１３とを連動させる連動リンク１７と、保持部１６のロック操作を行う操作機構１８とを備えている。
【００３２】
保持部１６は、傾動部材１３に設けられた電極部材１６ａと、互いに開閉自在に設けられた第１及び第２の係止部材１６ｂ，１６ｃとからなり、前記実施形態と同様、傾動部材１３の上部及び下部にそれぞれ計３つずつ設けられている。電極部材１６ａは略Ｌ字状に形成され、その一端側は斜め上方に延び、その他端側は傾動部材１３に固定されている。第１の係止部材１６ｂは一端側を略く字状に形成され、その他端側は電極部材１６ａの他端側に固定されている。第２の係止部材１６ｃは一端側を略く字状に形成され、第１の係止部材１６ｂに対して斜め上方から間隔をおいて配置されている。また、第２の係止部材１６ｃの他端側は後方に延びるとともに、その中間部分を支軸１６ｄを介して傾動部材１３の側面に回動自在に支持されている。
【００３３】
連動リンク１７は一端を傾動部材１３の下端側の支軸１６ｄに回動自在に連結され、その他端は第１のガイドシャフト１４ａの下端に取付けられた連結板１７ａの長孔１７ｂに挿入されている。
【００３４】
操作機構１８は、両端を各第２の係止部材１６ｃの他端にそれぞれ回動自在に連結された第１のリンク１８ａと、一端を第１のリンク１８ａの一端に回動自在に連結された第２のリンク１８ｂと、一端を第２のリンク１８ｂの他端に回動自在に連結された第３のリンク１８ｃと、第２のリンク１８ｂの他端と第３のリンク１８ｃの一端に回動自在に連結された操作リンク１８ｄとからなり、第３のリンク１８ｃの他端は連動リンク１７の他端に回動自在に連結されている。操作リンク１８ｄは両端及び中間部分を保持具本体１１の幅方向にそれぞれ屈曲しており、その中間部分によって第２のリンク１８ｂの他端と第３のリンク１８ｃの一端とを連結している。
【００３５】
以上の構成において、保持部１６によってプーリ１を保持する場合は、図９に示すように操作機構１８の操作リンク１８ｄを一端側を上方に回動すると、操作リンク１８ｄの他端が第２のリンク１８ｂに係止し、第２及び第３のリンク１８ｂ，１８ｃが互いに接近する方向に回動する。これにより、第１のリンク１８ａが上方に移動し、保持部１６の各第２の係止部材１６ｃが図中反時計回りに回動する。その際、第２の係止部材１６ｃの一端側が第１の係止部材１６ｂの一端側に対して閉鎖方向に移動し、プーリ１の内側に各係止部材１６ｂ，１６ｃが挿入可能となる。
【００３６】
次に、各係止部材１６ｂ，１６ｃにプーリ１を挿入し、図１０に示すように操作リンク１８ｄの一端側を下方に回動すると、操作リンク１８ｄの他端が第３のリンク１８ｃに係止し、第２及び第３のリンク１８ｂ，１８ｃが互いにほぼ直線状をなす位置まで回動する。これにより、第１のリンク１８ａが下方に移動し、保持部１６の各第２の係止部材１６ｃが図中時計回りに回動する。これにより、保持部１６の各第２の係止部材１６ｃが各第１の係止部材１６ｂに対して開放方向に移動し、プーリ１の内周面に各係止部材１６ｂ，１６ｃがそれぞれ係止することによりプーリ１が軸方向一端側を斜め上方に向けた状態で保持部１６にロックされる。その際、保持部１６に保持されたプーリ１の内周面側には電極部材１６ａが接触する。
【００３７】
また、前述のようにしてプーリ１を保持した物品保持具１０が液槽２ｃ内に搬入され、図１１に示すようにプーリ１が電着液２ｂに浸漬されると、プーリ１の軸方向他端側は斜め下方に向けられているため、プーリ１の内周面と段差１ａとの間の最上部にエア溜まりＡが生ずる。その際、物品保持具１０が電着液２ｂ内を下降するにしたがってフロート１４が電着液２ｂ内に搬入されると、前記実施形態と同様、フロート１４が浮力によって上昇し、図１２に示すように傾動部材１３の下端側が連動リンク１７に引かれて上方に回動する。これにより、傾動部材１３が図中反時計回りに傾動してプーリ１の上下方向の向きが変わり、プーリ１の内周面と段差１ａとの間に溜まっていた空気Ａが図中一点鎖線矢印で示すようにプーリ１内から排出され、プーリ１内のエア溜まりが解消される。
【００３８】
このように、本実施形態によれば、保持部１６をプーリ１を保持状態でロック可能に構成したので、プーリ１を確実に保持することができ、プーリ１の脱落防止に極めて有利である。
【００３９】
この場合、保持部１６を互いに開放方向に動作することによりプーリ１の内周面側に係止する一対の第１及び第２の係止部材１６ｂ，１６ｃによって構成したので、保持部１６を開閉させることによりプーリ１を着脱することができ、プーリ１の着脱作業を極めて容易に行うことができる。
【００４０】
また、フロート１４と傾動部材１３とを連動リンク１５を介して連結するようにしたので、フロート１４と傾動部材１３とを簡単な構造によって確実に連動させることができ、実用化に際して極めて有利である。
【００４１】
尚、前記第２の実施形態では、プーリ１をロック可能な保持部１６をフロート１４と傾動部材１３とを連動リンク１５を介して連結する構成に用いたものを示したが、第１の実施形態に示すようにフロート１４と傾動部材１３とを連動ワイヤ１５を介して連結した構成にプーリ１をロック可能な保持部１６を設けるようにしてもよい。
【００４２】
また、前記実施形態では、保持部１６の第１及び第２の係止部材１６ｂ，１６ｃを互いに開放方向に動作させることにより、各係止部材１６ｂ，１６ｃをプーリ１の内周面側に係止させるようにしたものを示したが、一方の係止部材をプーリ１の外側に配置して各係止部材を互いに閉鎖方向に動作させることによりプーリ１をロックするようにしてもよい。
【００４３】
図１３及び図１４は本発明の第３の実施形態を示すもので、図１３は電着塗装用物品保持具の側面図、図１４は保持部が傾動した状態を示す側面図である。尚、前記第１の実施形態と同等の構成部分には同一の符号を付して示す。
【００４４】
即ち、本実施形態の物品保持具１０は、フロート１４に代えて当接部材としてのローラ１４ｅを備え、ローラ１４ｅは上方に延出した取付部材１４ｃの上端に回動自在に設けられている。この場合、連動ワイヤ１５の他端は取付部材１４ｃに連結されている。液槽２ｃの上方にはローラ１４ｅに当接する案内部材としてのガイドレール３が設けられ、ガイドレール３は物品保持具１０の搬送方向に延びるように所定高さ位置に配置されている。
【００４５】
本実施形態においては、プーリ１を保持した物品保持具１０が液槽２ｃ内に下降しながら搬入されると、図１４に示すように物品保持具１０のローラ１４ｅがガイドレール３に上方から当接し、物品保持具１０が更に下降すると、ローラ１４ｅはガイドレール３によって下方への移動を規制されているため、傾動部材１３のアーム部１３ｂが連動ワイヤ１５に引かれて上方に回動する。これにより、傾動部材１３が図中時計回りに傾動してプーリ１の上下方向の向きが変わり、前述と同様、プーリ１内のエア溜まりが解消される。
【００４６】
図１５及び図１６は本発明の第４の実施形態を示すもので、図１５は電着塗装用物品保持具の側面図、図１６は保持部が傾動した状態を示す側面図である。尚、前記第１の実施形態と同等の構成部分には同一の符号を付して示す。
【００４７】
即ち、本実施形態の物品保持具１０は、フロート１４及び各ガイドシャフト１４ａ，１４ｂに代えて回動部材としてのレバー１９を備え、レバー１９は保持具本体１１の上端に上下方向に回動自在に設けられている。この場合、レバー１９の一端には連動ワイヤ１５の他端が連結され、レバー１９の他端は斜め上方に屈曲している。液槽２ｃの上方にはレバー１９に当接する案内部材としてのガイドレール１９が設けられ、ガイドレール１９は物品保持具１０の搬送方向に延びるように所定高さ位置に配置されている。
【００４８】
本実施形態においては、プーリ１を保持した物品保持具１０が液槽２ｃ内に搬入されると、図１６に示すようにレバー１９の他端がガイドレール４に下方から当接し、レバー１９が回動してその一端側が上昇するとともに、レバー１９の一端に連結された連動ワイヤ１５が上方に引かれて傾動部材１３のアーム部１３ｂが上方に回動する。これにより、傾動部材１３が図中時計回りに傾動してプーリ１の上下方向の向きが変わり、前述と同様、プーリ１内のエア溜まりが解消される。
【００４９】
尚、前記第３及び第４の実施形態では、連動ワイヤ１５によって傾動部材１３を傾動させるようにしたものを示したが、第２の実施形態のように連動リンクによって傾動部材１３を傾動させるようにしてもよい。
【図面の簡単な説明】
【００５０】
【図１】本発明の第１の実施形態を示す電着塗装用物品保持具の正面図
【図２】電着塗装用物品保持具の側面図
【図３】プーリの平面図
【図４】電着塗装装置の概略側面図
【図５】電着液内に浸漬された電着塗装用物品保持具の要部側面図
【図６】保持部が傾動した状態を示す側面図
【図７】保持部が傾動した状態を示す要部側面図
【図８】本発明の第２の実施形態を示す電着塗装用物品保持具の側面図
【図９】保持部のロック解除動作を示す要部側面図
【図１０】保持部のロック動作を示す要部側面図
【図１１】電着液内に浸漬された電着塗装用物品保持具の要部側面図
【図１２】保持部が傾動した状態を示す要部側面図
【図１３】本発明の第３の実施形態を示す電着塗装用物品保持具の側面図
【図１４】保持部が傾動した状態を示す側面図
【図１５】本発明の第４の実施形態を示す電着塗装用物品保持具の側面図
【図１６】保持部が傾動した状態を示す側面図
【符号の説明】
【００５１】
１…プーリ、２ａ…コンベヤ、２ｃ…液槽、３，４…ガイドレール、１０…物品保持具、１１…保持具本体、１２…保持部、１３…傾動部材、１４…フロート、１４ｅ…ローラ、１５…連動ワイヤ、１６…保持部、１６ｂ…第１の係止部材、１６ｃ…第２の係止部材、１７…連動リンク、１８…操作機構、１９…レバー。
【図１】
2005336561.tif 000003
【図２】
2005336561.tif 000004
【図３】
2005336561.tif 000005
【図４】
2005336561.tif 000006
【図５】
2005336561.tif 000007
【図６】
2005336561.tif 000008
【図７】
2005336561.tif 000009
【図８】
2005336561.tif 000010
【図９】
2005336561.tif 000011
【図１０】
2005336561.tif 000012
【図１１】
2005336561.tif 000013
【図１２】
2005336561.tif 000014
【図１３】
2005336561.tif 000015
【図１４】
2005336561.tif 000016
【図１５】
2005336561.tif 000017
【図１６】
2005336561.tif 000018